(57)【要約】【課題】  片手のみでペーパーを容易に引き出し、且つ切断することができるペーパーホルダーを提供すること。【解決手段】  ロール状ペーパー４の中心空間に挿入される支持棒８と、支持棒８を支える支持板部１０と、ロール状ペーパー４の上側を覆う上カバー部１２と、ロール状ペーパー４の下側に配置される下カバー部１４と、を備えたペーパーホルダー。ロール状ペーパー４は、その先端部６が奥側から引き出されるように支持棒８に取り付けられ、下カバー部１４には、ロール状ペーパー４の先端部を上から下に通すための開口部部２８と、引き出した先端部６を切断するためのペーパー切断部３４とを有し、この先端部６を下方に引き出して上方に上げるという簡単な操作でもって、引き出した先端部６がペーパー切断部３４により切断される。【選択図】  図１
2005304933.tif 000002
【特許請求の範囲】
【請求項１】
ロール状ペーパーの中心空間に挿入される支持棒と、前記支持棒を支える支持板部と、前記ロール状ペーパーの上側を覆う上カバー部と、前記ロール状ペーパーの下側に配置される下カバー部と、を備え、
前記支持棒には、先端部が奥側から引き出されるように前記ロール状ペーパーが取り付けられ、
前記上カバー部は、前記支持棒に支持された前記ロール状ペーパーに作用して制動力を付与し、
前記下カバー部は、前記ロール状ペーパーの先端部を通すための開口部と、前記ロール状ペーパーを切断するためのペーパー切断部とを有し、
前記支持棒に装着された前記ロール状ペーパーの先端部は前記下カバー部の前記開口部を通して下方に引き出され、前記開口部を通して引き出された先端部が前記ペーパー切断部により切断されることを特徴とするペーパーホルダー。
【請求項２】
前記ペーパーホルダーは、更に取付面に取り付けられるホルダー本体を備え、前記支持板部は前記ホルダー本体に着脱自在に取り付けられることを特徴とする請求項１に記載のペーパーホルダー。
【請求項３】
ロール状ペーパーの上側を覆う上カバー部と、前記ロール状ペーパーの一端又は両端外側に配置される側壁部と、前記ロール状ペーパーの下側を支持するための下カバー部と、を備え、
前記上カバー部、前記下カバー部及び前記側壁部によって規定される収容空間には、先端部が奥側から引き出されるように前記ロール状ペーパーが収容され、
前記上カバー部は、前記収容空間に収容された前記ロール状ペーパーに作用して制動力を付与し、
前記下カバー部は、前記ロール状ペーパーの先端部を通すための開口部と、前記ロール状ペーパーを切断するためのペーパー切断部とを有し、
前記収容空間に収容された前記ロール状ペーパーの先端部は前記下カバー部の前記開口部を通して下方に引き出され、前記開口部を通して引き出された先端部が前記ペーパー切断部により切断されることを特徴とするペーパーホルダー。
【請求項４】
前記ペーパー切断部は前記下カバー部の前記開口部における先端側の縁部又は前記下カバー部の先端部に設けられ、前記開口部を通して下方に引き出された前記ロール状ペーパーの先端部を上方に引っ張ることによって、前記ペーパー切断部が引き出された先端部を切断することを特徴とする請求項１〜３のいずれかに記載のペーパーホルダー。
【請求項５】
前記下カバー部は先端側に向けて幾分上方に傾斜して延びており、前記開口部は前記下カバー部の基部に設けられ、前記ペーパー切断部は前記下カバー部の先端部に設けられ、前記開口部を通して下方に引き出された前記ロール状ペーパーの先端部を上方に引っ張ることによって、前記ペーパー切断部が引き出された先端部を切断することを特徴とする請求項３に記載のペーパーホルダー。
【発明の詳細な説明】
【技術分野】
【０００１】
本発明は、ロール状ペーパーを保持するとともに、保持したロール状ペーパーから引き出した先端部を切断することができるペーパーホルダーに関する。
【背景技術】
【０００２】
トイレなどに設置されている従来からのペーパーホルダーは、壁面などに取り付けられる支持板部と、この支持板部の一対の側板部間に着脱自在に装着された支持棒と、支持棒に装着されたロール状ペーパー（いわゆる、ロール状トイレットペーパー）を覆うように一対の側板部間に旋回自在に装着された上カバー部とを備えており、上カバー部がその自重により下側に旋回して支持棒に装着されたロール状ペーパーの周面に作用するように構成されている。このようなペーパーホルダーでは、一般的に、上カバー部の先端部が引き出したペーパーを切断するためのペーパー切断部として機能し、ロール状ペーパーの先端部を引き出した後に上カバー部をロール状ペーパーの周面に押し付け、この状態にて引き出したペーパーの先端部を上方に持ち上げて上カバー部の先端を利用して切断している。
【０００３】
このようなペーパーホルダーでは、上カバー部を利用して切断するので、切断した後のロール状ペーパーの先端部と上カバー部の先端部（ペーパー切断部として機能する部分）との位置が合致し、ロール状ペーパーの先端部は上カバー部の下側に重なって位置し、その先端部が上カバー部から外側に出ていない状態となっている。それ故に、ロール状ペーパーを使用するに際して、使用者は、上カバー部を一方の手で上方向に持ち上げ、このように持ち上げた状態にて他方の手でロール状ペーパーの先端部を摘んで引き出さなければならず、ペーパーの引き出しに両手を必要とし、その取出し操作も煩雑であった。このため、従来のペーパーホルダーは不便であり、特に片手が塞がっている場合などは使いにくいという問題があった。
【０００４】
そこで、片手のみでロール状ペーパーを引き出すことができるペーパーホルダーが提案されている（例えば、特許文献１参照）。このペーパーホルダーは、ペーパーホルダー内にロール状ペーパーを載置するための載置板部を有し、この載置板部の下面側に、ペーパー切断部とペーパー押さえ部とを兼ね備えた揺動部材が設けられている。この載置板部は前下方向に傾斜しており、また載置板部の左右両側にはペーパー本体に挿入されたペーパー支持棒を支持するためのペーパー支持板部が配置され、更に載置板部の中央付近には穴が設けられ、揺動部材のペーパー押さえ部がこの穴を通してロール状ペーパーに作用するようになっている。揺動部材には、その前部（載置板部よりも前方）にペーパー切断部が設けられ、その後部（載置板部の穴に対応する部分）にペーパー押さえ部が設けられている。揺動部材は、支軸を中心に前後に揺動可能であり、通常時（ペーパーを使用しないとき）には水平状態に維持され、ペーパー切断時（ペーパーを使用するとき）には、ペーパー切断部が下方向に、ペーパー押さえ部が上方向に押し上げられた傾斜状態となる。
【０００５】
このペーパーホルダーにおいては、ペーパーを切断するときは、使用者は一方の手でロール状ペーパーの先端部をほぼ水平方向手前に引き出し、その後この先端部を真下方向に引っ張ればよい。ペーパー先端部を下方向に引っ張ると、引っ張った先端部が揺動部材に作用し、そのペーパー切断部が下方向に、そのペーパー押さえ部が上方向に移動し、ペーパー押さえ部が載置板部の穴を通して支持されたトイレットペーパーの周面に作用する。このようにペーパー押さえ部が作用すると、ロール状ペーパーに回転を阻止するための制動力が作用し、ペーパーの先端部がペーパー切断部で滑ることなく所望の通りに切断され、このようにして片手のみでロール状ペーパーの引き出した先端部を切断することができる。
【０００６】
ペーパー切断後は、揺動部材への負荷が解除されるので、揺動部材が水平状態に戻る。このとき、ロール状ペーパーの先端部は載置板部の先端まで延びているので、使用者は、次にこのロール状ペーパーを使用するときは、載置板部の先端部まで延びているこの先端部分を摘むことによって、上カバー部を上げることなく片手のみでペーパーの先端部を引き出すことができる。
【０００７】
【特許文献１】特開２００３−３１０４７７号公報
【発明の開示】
【発明が解決しようとする課題】
【０００８】
しかしながら、上述したペーパーホルダーでは、載置板部の前方にペーパー切断部が設けられているので、ロール状ペーパーの先端部を手前側に引き出そうとすると、ペーパー切断部に引っ掛かりやすく、ペーパー切断部に引っ掛かると破れ、所望長さにペーパーを切断することができない。このようなペーパーの破れを回避するためには、ペーパーを引き出すときに水平方向又はそれ以上の角度で引き出さなければならないが、通常、ペーパー使用時には使用者はしゃがんでいるか便座に座っている状態であるので、そのような状態からペーパーを水平方向以上に引き出しにくいという問題がある。
【０００９】
また、このようなペーパーホルダーでは、ロール状ペーパーの先端部は載置板部の表面に沿ってペーパー切断部まで延びているので、使用に際して、載置板部の表面に位置するペーパー先端部を摘むようになるが、引き出された先端部を長くして摘みやすくしようとすると、ペーパーホルダー自体が大きくなり、一方、ペーパーホルダー自体を小さくしようとすると、ペーパー先端部の引出し量が少なくなって使用の際に摘みにくくなる。
【００１０】
また、このペーパーホルダーでは、ペーパーを切断するときにペーパー押さえ部との摩擦力でロール状ペーパーを固定しているが、ペーパーの残りが少なくなるとロール状ペーパーの自重が軽くなって摩擦力が小さくなるため、ペーパー支持棒にある程度の重量が無ければペーパーを摩擦力でもって十分固定することができず、所望の位置で切断することが難しくなる。
【００１１】
また、最近ではペーパー支持棒を挿入するための芯を有しない、いわゆる芯無しトイレットペーパーも市販されており、上述したペーパーホルダーでは、芯無しトイレットペーパーを使用することができない。
【００１２】
本発明の目的は、ロール状ペーパーが引き出しやすく、その先端部を片手で引き出して切断することができるペーパーホルダーを提供することである。
本発明の他の目的は、ロール状ペーパーの芯の有無に関係なく、種々のロール状ペーパーを使用することができるペーパーホルダーを提供することである。
【課題を解決するための手段】
【００１３】
本発明の請求項１に記載のペーパーホルダーは、ロール状ペーパーの中心空間に挿入される支持棒と、前記支持棒を支える支持板部と、前記ロール状ペーパーの上側を覆う上カバー部と、前記ロール状ペーパーの下側に配置される下カバー部と、を備え、
前記支持棒には、先端部が奥側から引き出されるように前記ロール状ペーパーが取り付けられ、
前記上カバー部は、前記支持棒に支持された前記ロール状ペーパーに作用して制動力を付与し、
前記下カバー部は、前記ロール状ペーパーの先端部を通すための開口部と、前記ロール状ペーパーを切断するためのペーパー切断部とを有し、
前記支持棒に装着された前記ロール状ペーパーの先端部は前記下カバー部の前記開口部を通して下方に引き出され、前記開口部を通して引き出された先端部が前記ペーパー切断部により切断されることを特徴とする。
【００１４】
また、本発明の請求項２に記載のペーパーホルダーでは、前記ペーパーホルダーは、更に取付面に取り付けられるホルダー本体を備え、前記支持板部は前記ホルダー本体に着脱自在に取り付けられることを特徴とする。
【００１５】
また、本発明の請求項３に記載のペーパーホルダーは、ロール状ペーパーの上側を覆う上カバー部と、前記ロール状ペーパーの一端又は両端外側に配置される側壁部と、前記ロール状ペーパーの下側を支持するための下カバー部と、を備え、
前記上カバー部、前記下カバー部及び前記側壁部によって規定される収容空間には、先端部が奥側から引き出されるように前記ロール状ペーパーが収容され、
前記上カバー部は、前記収容空間に収容された前記ロール状ペーパーに作用して制動力を付与し、
前記下カバー部は、前記ロール状ペーパーの先端部を通すための開口部と、前記ロール状ペーパーを切断するためのペーパー切断部とを有し、
前記収容空間に収容された前記ロール状ペーパーの先端部は前記下カバー部の前記開口部を通して下方に引き出され、前記開口部を通して引き出された先端部が前記ペーパー切断部により切断されることを特徴とする。
【００１６】
また、本発明の請求項４に記載のペーパーホルダーでは、前記ペーパー切断部は前記下カバー部の前記開口部における先端側の縁部又は前記下カバー部の先端部に設けられ、前記開口部を通して下方に引き出された前記ロール状ペーパーの先端部を上方に引っ張ることによって、前記ペーパー切断部が引き出された先端部を切断することを特徴とする。
【００１７】
また、本発明の請求項５に記載のペーパーホルダーでは、前記下カバー部は先端側に向けて幾分上方に傾斜して延びており、前記開口部は前記下カバー部の基部に設けられ、前記ペーパー切断部は前記下カバー部の先端部に設けられ、前記開口部を通して下方に引き出された前記ロール状ペーパーの先端部を上方に引っ張ることによって、前記ペーパー切断部が引き出された先端部を切断することを特徴とする。
【発明の効果】
【００１８】
本発明の請求項１に記載のペーパーホルダーによれば、ロール状ペーパーは、支持板部に装着される支持棒に、先端部が奥側から引き出されるように取付けられ、その先端部は下カバー部の開口部を通して下方向に引き出される。そして、このように引き出した先端部を上方に引っ張ることによって、この先端部が下カバー部のペーパー切断部に当たり、ペーパー切断部がペーパーを切断し、このようにロール状ペーパーの先端部を引き出し上方に引っ張るという簡単な操作でもって切断することができ、またこのような操作は片手でもって行うことができる。また、このように切断すると、残ったペーパーの先端部は下カバー部の開口部を通して下に垂れ下がった状態となり、従って、次にペーパーを使用する際に垂れ下がった先端部を容易に摘むことができ、使用の際に非常に容易にペーパーを引き出することができる。
【００１９】
また、上カバー部がロール状ペーパーに作用して制動力を付与するので、ロール状ペーパーの先端部を切断するときは、上カバー部が抵抗となってロール状ペーパーを保持し、ペーパーを手前側に上方に引っ張る際にもフリーに回ることが回避され、片手で容易にペーパーの先端部を切断することができる。
【００２０】
また、本発明の請求項２に記載のペーパーホルダーによれば、支持板部はホルダー本体に着脱自在に取り付けられるので、支持板部の交換が可能となり、種々のものから好みにあったものを用いることができる。
【００２１】
また、本発明の請求項３に記載のペーパーホルダーによれば、ロール状ペーパーは、上カバー部、下カバー部及びロール状ペーパーの一端又は両端外側に配置される側壁部に規定された収容空間に、先端部が奥側から引き出されるように取り付けられ、その先端部は下カバー部の開口部を通して下方に引き出される。そして、引き出した先端部を手前側から上方に引っ張ることによって、引き出した先端部が下カバー部のペーパー切断部に当たり、この先端部を簡単な操作で、また片手でもって所要の通りに切断することができる。この場合においても、切断後のペーパーの先端部は下カバー部の開口部を通して下に垂れ下がった状態となり、従って、使用の際に非常に容易にペーパーを引き出すことができる。また、ロール状ペーパーを収容空間に収容する構成であるので、芯の有無に関係なく、種々のロール状ペーパーを使用することができる。この収容空間においては、ロール状ペーパーの一端側だけに側壁部が配置された場合には、ペーパーホルダーの手前側からだけではなく、その一端側からもロール状ペーパーを交換することができる。更に、上カバー部がロール状ペーパーに制動力を付与するので、上述したと同様に、ペーパーの先端部を片手でもって所要の通りに切断することができる。
【００２２】
また、本発明の請求項４に記載のペーパーホルダーでは、ペーパー切断部が下カバー部の開口部における先端側の縁部に設けられているので、ロール状ペーパーの先端部を手前側に引き出して上方に引っ張ることによって、この先端部を所要の通りに切断することができる。また、切断後、残った先端部は開口部を通して下方に垂れ下がるので、使用の際にこの先端部を容易に摘むことができる。このペーパー切断部は下カバー部の先端部に設けても同様の効果が達成される。
【００２３】
また、本発明の請求項５に記載のペーパーホルダーでは、下カバー部は先端側に向けて幾分上方に傾斜して延びているので、収容空間に収容したロール状ペーパーは自重によって基部側に移動し、これによって、収容空間から外側に落ちるのを防止することができる。また、下カバー部の基部に開口部が設けられ、その先端部にペーパー切断部が設けられているので、開口部を通して引き出したペーパーの先端部をペーパー切断部で所要の通りに切断することができ、また切断後、残ったペーパーの先端部は開口部を通して下方に垂れ下がった状態に保持されるので、使用の際にこの先端部を容易に摘むことができる。
【発明を実施するための最良の形態】
【００２４】
以下、添付図面を参照して、本発明に従うペーパーホルダーの最良の形態について説明する。
［第１の実施形態］
まず、図１及び図２を参照して、第１の実施形態のペーパーホルダーについて説明する。図１は、第１の実施形態のペーパーホルダーを示す側断面図であり、図２は、図１のペーパーホルダーを下側から見た底面図である。
【００２５】
図１において、図示のペーパーホルダー２は、芯が有るタイプのロール状ペーパー４、例えばトイレット用のペーパーに用いるものであり、ロール状ペーパー４は、その先端部６が奥側（ペーパーホルダー２が取り付けられる壁１６側）から引き出されるように、すなわち、通常とは反対の方向に引き出されるようにペーパーホルダー２に取り付けられる。このペーパーホルダー２は、トイレなどの壁１６に取り付けられるホルダー本体７を備え、このホルダー本体７の左右両側部に一対の支持板部１０が設けられ、一対の支持板部１０間に支持棒８が着脱自在に装着される。ホルダー本体７はトイレの壁１６（その壁面が取付面を構成する）に螺子（図示せず）などによって固定される。この実施形態では、支持板部１０はホルダー本体７と一体的に構成されているが、ホルダー本体７に螺子などを用いて着脱自在に取り付けるようにしてもよく、このように着脱自在にすることによって、種々の支持板部を取り付けることができる。
【００２６】
ロール状ペーパー４は、芯材としての中空円筒状部材１５と、薄く細長い紙をこの中空円筒状部材１５に巻くことによって形成されるロール本体１３とから構成される。中空円筒状部材１５の内側がロール状ペーパー４の中心空間を構成し、この中空円筒状部材１５内を挿通して支持棒８の両端部を一対の支持板部１０に装着することによって、ロール状ペーパー４がペーパーホルダー２に着脱自在に取り付けられる。支持棒８の外径は中空円筒状部材１５の内径よりも小さく、従って、ロール状ペーパー４は支持棒８に回動可能に支持される。
【００２７】
ロール状ペーパー４の上側には、これを覆うように上カバー部１２が設けられる。一対の支持板部１０の上端部間には支持軸１７が装着され、この支持軸１７に上カバー部１２の基部が回動自在に支持されている。従って、この上カバー部１２は支持軸１７を中心として旋回動可能であり、ロール状ペーパー４を取り付けた状態では、図１に示すように、自重によって下方に旋回動し、その先端部が装着されたロール状ペーパー４の周面に接触し、両者間の摩擦抵抗によってロール状ペーパー４に制動力を付与する。この実施形態では、上カバー部１２の先端部は内側に弧状に曲がっており、このように湾曲させることによって、ロール状ペーパー４の周面との接触面積が大きくなり、上カバー部１２による制動力を大きくして所望の制動力を確保することができる。
【００２８】
図２をも参照して、ロール状ペーパー４の下側には下カバー部１４が設けられている。下カバー部１４は、ホルダー本体７の下端部からロール状ペーパー４の下側を覆うように壁１６から離れる方向（図１において右側）に延びている。この下カバー部１４は、壁１６に取り付けた状態において実質上水平に延びているが、先端側に向けて幾分下方に傾斜して延びるようにしてもよい。この形態では、ホルダー本体７、一対の支持板部１０及び下カバー部１４が一体的に構成されている。
【００２９】
この形態では、下カバー部１４の基部には矩形状の開口部２８が設けられ、ロール状ペーパー４の先端部６はこの開口部２８を通して下方に引き出すように構成される。この開口部２８の先端側縁部（図１において右側縁部、図２において下側縁部）３０には、ロール状ペーパー４を切断するためのペーパー切断部３４が設けられ、この縁部の先が刃先として機能する。ペーパー切断部３４の刃先は開口部２８の内側方向に、壁１６に対向するように向いて、ペーパーに当たって切断するように設けられている。このようにペーパー切断部３４を設けることによって、ペーパーが切断しやすいとともに、ペーパーを摘むときに使用者の手にペーパー切断部３４の刃先が当たるのを回避することができる。尚、このペーパー切断部３４の刃先は、開口部２８の先端側縁部において下方に突出するように設けるようにしてもよく、或いは下カバー部１４の先端部に先端に向けて突出するようにもうけるようにしてもよい。
【００３０】
この開口部２８は、次のように構成するのが好ましい。支持棒８の中心線、換言すると、ロール状ペーパー４の回動中心線の位置がペーパー切断部３４の刃先よりも壁１６側の後方側（図１において左側、図２において上側）に位置するのが好ましい。この開口部２８の後端側（基部側）縁部は、未使用のロール状ペーパー４から引き出した先端部６が自然に垂れ下がっている状態で、その先端部６よりも壁１６側の後側に位置するのが好ましい。このように構成することによって、ロール状ペーパー４から引き出されて切断後に残った先端部４は、自重で垂れ下がるように後方側に移動し、図１に実線で示すように開口部２８を通して下方に垂れるようになり、使用の際に、この垂れ下がった先端部６を容易に摘むことができる。
【００３１】
このペーパーホルダー２に装着されたロール状ペーパー４を使用するときには、下カバー部１４の開口部２８を通して垂れ下がっている先端部６を摘んで下方に引っ張り、手前側（図１において右側）に引きながら図１に一点鎖線で示すように上方に上げるようにすればよい。図１に一点鎖線６Ａで示す位置まで手前側に引きながら上げると、ロール本体１３から引き出された先端部６Ａが開口部２８の先端側縁部のペーパー切断部３４に接触し、この状態から図１に一点鎖線６Ｂで示す位置まで更に上げると、ペーパー切断部３４が引き出した先端部に食い込むように作用し、更に上方に上げる、好ましくはその先端部６を幅方向一端側から他端側に向けて斜めにするように上げると、ペーパー切断部３４は引き出した先端部６を切断し、この先端部６を引き出して上方に上げるという簡単な操作で、また片手でもってロール状ペーパー４の先端部６を所要の通りに切断することができる。この切断の際には、上カバー部１２がロール状ペーパー４の周面に接触しているので適度の制動力が付与され、先端部６を引き出す際にロール本体１３がフリーに回動することがなく、先端部６を所要の通りに引き出して切断することができる。
【００３２】
［第２の実施形態］
次に、図３及び図４を参照して、第２の実施形態のペーパーホルダーについて説明する。図３は、第２の実施形態のペーパーホルダーを示す側断面図であり、図４は、図３のペーパーホルダーを下から見た底面図である。尚、以下の実施形態において、第１の実施形態と実質上同一の部材には同一の参照番号を付し、その説明を省略する。
【００３３】
図３において、図示のペーパーホルダー２Ａは、芯が無いタイプのロール状ペーパー４Ａをも載置することができるものであり、このロール状ペーパー４Ａも、その先端部６が奥側から引き出されるようにペーパーホルダー２Ａに取り付けられる。このペーパーホルダー２Ａは、トイレなどの壁１６（その壁面が取付面を構成する）に取り付けられるホルダ本体７Ａを備え、このホルダ本体７Ａの下部の左右両側部に側壁部として機能する一対の側板部４２が設けられ、またホルダー本体７Ａの下端部には、一対の側板部４２間にわたって下カバー部４４が設けられている。
【００３４】
この形態では、側板部４２はホルダー本体７Ａの下部の左右両側部に設けられているが、両側部に限らず左側部又は右側部の一方に設けるようにしてもよい。また、このような側板部４２を設けることに代えて、下カバー部４４の上面（内面）に凹部を設けるようにしてもよい。このような凹部を形成することによってロール状ペーパー４Ａの収容空間を規定するようにしてもよく、この場合、凹部の側面を規定する部位が側壁部として機能する。このような構成のものでは、この凹部内にロール状ペーパー４Ａの一部が収容され、下カバー部４４の上面にロール状ペーパー４Ａを保持することができる。この場合、凹部の深さは３〜８ｍｍ、例えば５ｍｍ程度あればロール状ペーパー４が前後左右に移動して下カバー部４４の凹部から外れて落ちることを防止することができる。
【００３５】
下カバー部４４は、ホルダー本体７Ａを壁１６に取り付けた状態において、先端側（図３において右側）に向けて実質上水平に延び、その先端部が幾分上方に凹状に湾曲しており、このように湾曲させることによって、ロール状ペーパー４Ａが収容空間４５から外部に落ちるのが防止される。ホルダー本体７Ａ、一対の側板部４２及び下カバー部４４は収容空間４５を規定し、この収容空間４５内に図３に示すようにロール状ペーパー４Ａが収容される。この形態では、これらホルダー本体７Ａ、一対の側板部４２及び下カバー部４４が一体的に形成され、ホルダー本体７Ａが壁１６に螺子（図示せず）など固定される。
【００３６】
ロール状ペーパー４Ａの上方には上カバー部１２Ａが配設され、この上カバー部１２Ａの構成は第１の実施形態のものと実質上同一でよい。この形態では、ホルダー本体７Ａの上端部の両側部に一対の支持突片４７が設けられ、一対の支持突片４７間に装着された支持軸４９に上カバー部１２Ａの基部が回動自在に支持されている。従って、第１の実施形態と同様に、上カバー部１２Ａは自重によって支持軸４９を中心として下方に旋回し、収容空間４５に収容されたロール状ペーパー４Ａの周面に作用して制動力を付与する。
【００３７】
次に、図４をも参照して、下カバー部４４について説明する。下カバー部４４の基部（図３において左端の端部、図４において上側の端部）には、細長い矩形状の開口部４８が設けられ、収容空間４５に収容されたロール状ペーパー４Ａの先端部６はこの開口部４８を通して下方に垂れ下がった状態に保たれる。開口部４８をこのように細長く形成することによって、ロール状ペーパー４Ａのロール本体１３の外径が使用により小さくなったときにも、このロール本体１３が開口部４８を通して落下するのを防止することができる。
【００３８】
第２の実施形態では、下カバー部４４の先端部（具体的には、直線上に延びる部分の先端）にペーパー切断部３４Ａが設けられ、この先端部の下面から下方に突出しており、その先端が刃先として機能する。この第２の実施形態のその他の構成は、上述した第１の実施形態と実質上同一である。
【００３９】
このペーパーホルダー２Ａに装着されたロール状ペーパー４Ａを使用するときにも、下カバー部４４の開口部４８を通して垂れ下がっている先端部６を摘んで下方に引っ張り、手前側（図３において右側）に引きながら図３に一点鎖線６Ｃで示すように上方に上げるようにすればよい。ペーパーの先端部６をこのように上げると、ペーパー切断部３４Ａが引き出した先端部に食い込むように作用し、更に上方に上げる（その先端部６を幅方向一端側から他端側に向けて斜めになるように上げるのが好ましい）と、ペーパー切断部３４Ａが引き出した先端部６を切断し、第１の実施形態と同様に、簡単な操作で、また片手でもってこの先端部６を切断することができる。このように切断した後は、残ったロール状ペーパー４Ａの先端部６は、自重で垂れ下がるように後方側に移動し、図３に実線で示すように開口部４８を通して下方に垂れ下がるようになり、使用に際して、この垂れ下がった先端部６を容易に摘むことができ、容易に引き出すことができる。
【００４０】
［第３の実施形態］
次に、図５を参照して、第３の実施形態のペーパーホルダーについて説明する。図５は、第３の実施形態のペーパーホルダーを示す側断面図である。
【００４１】
図５において、このペーパーホルダー２Ｂでは、ホルダー本体７Ｂと一体的に設けられた下カバー部４４Ｂは、ホルダー本体７Ｂの下端部から先端側に向けて幾分上方に向けて直線状に傾斜して延びており、この下カバー部４４Ｂ及び一対の側板部４２Ｂによって収容空間４５Ｂが規定されている。下カバー部４４Ｂをこのように構成することによって、収容空間４５Ｂに収容されたロール状ペーパー４Ａは、下カバー部４４Ｂの傾斜内面に沿ってホルダー本体７Ｂ側に移動し、円筒状のペーパー本体１３は、図５に示すようにホルダー本体７Ｂ及び下カバー部４４Ｂに支持された状態に保持される。この形態においても第２の実施形態と同様に、側板部４２Ｂを設けないで、下カバー部４４Ｂの上面にロール状ペーパー４Ａを収容するための凹部を形成するようにしてもよい。
【００４２】
この形態では、更に、開口部４８Ｂは下カバー部４４Ｂの基端部に設けられ、収容空間４５Ｂに収容されたロール状ペーパー４Ａの先端部６は、第１及び第２の実施形態と同様に、ホルダー本体７Ｂ側からこの開口部４８Ｂを通して下方に垂れ下がった状態に保たれる。また、ペーパー切断部３４Ｂは、下カバー部４４Ｂの先端部に設けられ、その細長い先端が刃先として機能する。
【００４３】
この第３の実施形態においても、ロール状ペーパー４Ａを使用するときには、下カバー部４４Ｂの開口部４８Ｂを通して垂れ下がっている先端部６を摘んで下方に引っ張り、手前側（図５において右側）に引きながら図５に一点鎖線６Ｄで示すように上方にあげればよく、このように操作することによって、ペーパー切断部３４Ｂでもって、ペーパー本体１３から引き出した先端部６を所要の通りに切断することができる。
【００４４】
以上、本発明に従うペーパーホルダーの実施形態について説明したが、本発明はかかる実施形態に限定されるものではなく、本発明の範囲を逸脱することなく種々の変形乃至修正が可能である。
【００４５】
例えば、第１〜第３の実施形態では、下カバー部１４，４４，４４Ｂの開口部２８，４８，４８Ｂは矩形状に形成されているが、これに限らず、矩形状以外の形状でもよい。
【００４６】
また、例えば、第１〜第３の実施形態では、下カバー部１４，４４，４４Ｂがホルダー本体７，７Ａ，７Ｂと一体的に構成されているが、このホルダー本体１４，４４，４４Ｂと別体に構成し、下カバー部１４，４４，４４Ｂを壁１６に取り付けるようにしてもよい。
【産業上の利用可能性】
【００４７】
上述したペーパーホルダーは、ロール状ペーパーの下側に配設される下カバー部を備え、この下カバー部に開口部及びペーパー切断部が設けられている。ロール状ペーパーの先端部は奥側から引き出されるようにペーパーホルダーに取り付けられ、ロール状ペーパーの先端部は開口部を通して垂れ下がった状態に保持される。このように垂れ下がった先端部を下方に引っ張って引き出し、引き出した状態で上方に上げることによって、ペーパー切断部がこの先端部に作用し、簡単な操作でもって引き出した先端部を容易に切断することができる。このようなペーパーホルダーは、トイレット用のロール状ペーパーなどを使用するときに好都合に適用することができる。
【図面の簡単な説明】
【００４８】
【図１】第１の実施形態のペーパーホルダーを示す側断面図である。
【図２】図１のペーパーホルダーを下側から見た底面図である。
【図３】第２の実施形態のペーパーホルダーを示す側断面図である。
【図４】図３のペーパーホルダーを下側から見た底面図である。
【図５】第３の実施形態のペーパーホルダーを示す側断面図である。
【符号の説明】
【００４９】
２，２Ａ，２Ｂ  ペーパーホルダー
４，４Ａ  ロール状ペーパー
６  先端部
７，７Ａ，７Ｂ  ホルダー本体
１０  支持板部
１２，１２Ａ  上カバー部
１４，４４，４４Ｂ  下カバー部
２８，４８，４８Ｂ  開口部
３４，３４Ａ，３４Ｂ  ペーパー切断部
４２，４２Ｂ  側板部
４５，４５Ｂ  収容空間
【図１】
2005304933.tif 000003
【図２】
2005304933.tif 000004
【図３】
2005304933.tif 000005
【図４】
2005304933.tif 000006
【図５】
2005304933.tif 000007